(57)【要約】【課題】画像形成動作停止時に、加熱部材に接触している記録媒体が加熱、変形することを安価な構成によって防ぐ。【解決手段】インクジェットプリンタ１００において、記録媒体の非印字面下に接触し加熱する、多数の空気穴１０ａを有するヒータ板１０などの加熱部材と、空気通過部を介して空気を吸引することで加熱部材上に記録媒体を吸着する吸引ファン１５などの吸着手段と、空気通過部を介して空気を吹き出す吹き出しファン１４などの吹き出し手段と、を備え、印刷動作停止時などの画像形成動作停止時に、記録ヘッドを加熱部材上から退避させると共に、加熱部材による加熱を停止し、且つ吸着手段による吸着を解除し、尚且つ吹き出し手段によって空気通過部を介して空気を吹き出すことにより加熱部材から記録媒体を離間させる。【選択図】図５
2017222096.tif 000002
【特許請求の範囲】
【請求項１】
記録媒体の搬送を繰り返しながら、記録ヘッドから液体を吐出して記録媒体上に画像を形成する画像形成装置において、
記録媒体の非印字面下に接触し加熱する、複数の空気通過部を有する加熱部材と、
前記空気通過部を介して空気を吸引することで前記加熱部材上に記録媒体を吸着する吸着手段と、
前記空気通過部を介して空気を吹き出す吹き出し手段と、を備え、
画像形成動作停止時に、前記記録ヘッドを前記加熱部材上から退避させると共に、前記加熱部材による加熱を停止し、且つ前記吸着手段による吸着を解除し、尚且つ前記吹き出し手段によって前記空気通過部を介して空気を吹き出すことにより前記加熱部材から記録媒体を離間させる画像形成装置。
【請求項２】
前記加熱部材の温度を測定する温度測定手段を備え、
前記温度測定手段により測定された温度が規定値以下になったとき、前記吹き出し手段による空気吹き出しを停止させることを特徴とする請求項１記載の画像形成装置。
【請求項３】
前記吹き出し手段による空気吹き出し時間を計時する計時手段を備え、
前記計時手段により計時された規定時間経過後に、前記吹き出し手段よる空気吹き出しを停止させることを特徴とする請求項１記載の画像形成装置。
【請求項４】
記録媒体の搬送を繰り返しながら、記録ヘッドから液体を吐出して記録媒体上に画像を形成する画像形成装置において、
記録媒体の非印字面下に接触し加熱する、複数の空気通過部を有する加熱部材と、
前記空気通過部を介して空気を吸引することで前記加熱部材上に記録媒体を吸着する吸着手段と、
前記空気通過部を介して空気を吹き出す吹き出し手段と、
時間を計時する計時手段と、を備え、
画像形成動作停止後、前記記録ヘッドを前記加熱部材上から退避させると共に、前記計時手段により計時された規定時間経過後に、前記加熱部材による加熱を停止し、且つ前記吸着手段による吸着を解除し、前記吹き出し手段から空気を吹き出すことにより前記加熱部材から記録媒体を離間させることを特徴とする画像形成装置。
【請求項５】
画像形成動作停止後、前記加熱部材による加熱停止及び前記吸着手段による吸着解除から前記吹き出し手段から空気を吹き出させるまでの時間を、記録媒体の種類、その厚さにより変えることを特徴とする請求項４記載の画像形成装置。
【発明の詳細な説明】
【技術分野】
【０００１】
本発明は、画像形成装置に関する。
【背景技術】
【０００２】
従来の画像形成装置としてのインクジェットプリンタは、特にパーソナルユース向けの印刷速度が比較的低速のプリンタでは、インク及び記録媒体の改良により乾燥時間が短縮されたこともあり、乾燥手段を設けず自然乾燥によるものが主体であった。また、カット紙が主体のため、インクの乾燥に関わる特別な制御は設けていなかった。記録媒体に印刷されたインクを乾燥させる手段としては種々の方式が提案されている。最も一般的な方法は、インクの乾燥を促進させるために、記録ヘッドに対向して設けられた加熱部材としてのヒータ板を加熱し記録媒体上に印刷されたインクを乾燥させる方式である。これらの方式においても、記録媒体の熱障害に対して制御面での考慮はされていなかった。
【０００３】
しかしながら、今までの技術では、印刷停止時にヒータ板を加熱するヒータをオフしても、ヒータ板上に静止した記録媒体はヒータ板の温度が自然冷却されるまでの間、加熱され続けるために変形してしまうという問題があった。そして、記録媒体が変形したまま印刷開始すると記録ヘッドと変形した記録媒体とが接触するため、記録媒体の変形部分を記録ヘッド下から移動させる必要が生じ、この部分の記録媒体が無駄（損紙）になってしまう。
【０００４】
このような問題を解決する技術として、例えば特許文献１を挙げることができる。この技術では、保護手段と呼ばれる複雑な機構が必要となるため、安価な構成で変形を防ぐという問題は解消できていない。
【発明の概要】
【発明が解決しようとする課題】
【０００５】
本発明は、上述した事情に鑑みてなされたものであり、画像形成動作停止時に、加熱部材に接触している記録媒体が加熱、変形することを安価な構成によって防ぐことを目的とする。
【課題を解決するための手段】
【０００６】
上記目的を達成するために、本発明は、記録媒体の搬送を繰り返しながら、記録ヘッドから液体を吐出して記録媒体上に画像を形成する画像形成装置において、記録媒体の非印字面下に接触し加熱する、複数の空気通過部を有する加熱部材と、前記空気通過部を介して空気を吸引することで前記加熱部材上に記録媒体を吸着する吸着手段と、前記空気通過部を介して空気を吹き出す吹き出し手段と、を備え、画像形成動作停止時に、前記記録ヘッドを前記加熱部材上から退避させると共に、前記加熱部材による加熱を停止し、且つ前記吸着手段による吸着を解除し、尚且つ前記吹き出し手段によって前記空気通過部を介して空気を吹き出すことにより前記加熱部材から記録媒体を離間させる画像形成装置である。
【発明の効果】
【０００７】
本発明によれば、画像形成動作停止時に、加熱部材に接触している記録媒体が加熱、変形することを安価な構成によって防ぐことができる。
【図面の簡単な説明】
【０００８】
【図１】本発明の一実施形態に係るインクジェットプリンタの模式的な断面構成図である。
【図２】図１のインクジェットプリンタの主な制御構成を示す制御ブロック図である。
【図３】一実施形態に係る印刷時のプリント部の動作を説明する模式的な斜視図である。
【図４】一実施形態に係る印刷時のプリント部の動作順序を説明するフローチャートである。
【図５】一実施形態に係る印刷停止時のプリント部の動作を説明する模式的な斜視図である。
【図６】一実施形態に係る印刷停止時のプリント部の動作順序を説明するフローチャートである。
【発明を実施するための形態】
【０００９】
以下、図を参照して実施例を含む本発明の実施の形態を詳細に説明する。各実施形態等に亘り、同一の機能及び形状等を有する構成要素（部材や構成部品）等については、混同の虞がない限り一度説明した後では同一符号を付すことによりその説明を省略する。図及び説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１０】
以下、本願発明において、液体吐出ヘッドを用いた液体吐出記録方式の「画像形成装置」は、紙、糸、繊維、布帛、皮革、金属、プラスチック、ガラス、木材、セラミックス等の媒体に液滴を着弾させて画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
「液滴」とは、インクと称されるものに限らず、記録液、定着処理液、樹脂、液体などと称されるものを含み、画像形成を行うことが可能に微細粒状化して液滴にできる全ての液体、すなわち機能性溶液（以下、「機能性インク」と言い替える）としての液滴の総称として用いる。また、「記録媒体」とは、材質を紙に限定するものではなく、ＯＨＰシート、布なども含み、液滴が付着されるものの意味であり、被記録媒体、記録紙、記録用紙、コート紙等の特殊紙、使用可能な薄紙から厚紙、はがき、封筒あるいは単に用紙などと称されるものを含むものの総称として用いる。また、画像とは２次元画像に限らず、３次元画像も含まれる。
【００１１】
本発明は、液体吐出ヘッド及びそれを使用した画像形成装置を対象としている。前記画像形成装置は、一般的にはインクジェット記録装置やインクジェットプリンタと呼ばれているもので、以下、画像形成装置はインクジェットプリンタで代表して説明する。インクジェット記録装置には、騒音が極めて小さく、かつ、高速印字が可能であり、更にはインクの自由度があり安価な記録媒体である普通紙を使用できるなど多くの利点がある。そのため、プリンタ、ファクシミリ、複写装置、上述したように複数の画像形成機能を備えた複合機等の画像形成装置として広く展開されている。
【００１２】
図１〜図６を参照して、本発明の一実施形態を説明する。
まず、図１を参照して、一実施形態に係る画像形成装置の一例としてのインクジェットプリンタ１００の全体構成について説明する。図１は、本発明の一実施形態に係るインクジェットプリンタの模式的な断面構成図である。
インクジェットプリンタ１００は、シリアル方式のインクジェットプリンタであり、給紙部４、プリント部９、巻き取り部１６及びこれらの各部装置を制御する制御部２０を備えている。
【００１３】
給紙部４には、連続するシート状の記録媒体６がロール軸５に巻かれた未使用のロールがセットされる。給紙部４から供給された記録媒体６は、駆動力（後述する図２に示すレジストモータ２６参照）が与えられたレジストローラ７と、記録媒体６に従動して動く加圧コロ８とによって挟持・ニップされる。記録媒体６は、レジストローラ７の回転によって搬送され、記録媒体６の搬送方向である副走査方向Ｘに沿って移動する。移動する記録媒体６は、プリント部９を通過する。
【００１４】
プリント部９は、液体吐出ヘッドである複数の記録ヘッド１と、これらの記録ヘッド１を保持して、ガイド３に従い主走査方向Ｙ（搬送方向Ｘに直交する方向）に往復移動するキャリッジ２と、記録媒体６を吸着、加熱するか加熱部材としてのヒータ板１０とを有する。
【００１５】
キャリッジ２は、ガイド３と協働して主走査方向Ｙに往復移動させる駆動手段としての主走査モータ２５（後述する図２参照）によって駆動される。ガイド３と協働する機構としては、直線往復運動機構が用いられ、例えばラック＆ピニオンを用いたものや、タイミングベルト及びタイミングベルト用いたものが使用される。
【００１６】
このキャリッジ２には、本発明に係る液体吐出ヘッドである複数の記録ヘッド１の他に、ヘッドタンクを一体にした液体吐出ユニットを搭載してもよい。記録ヘッド１は、例えば、イエロー（Ｙ）、シアン（Ｃ）、マゼンタ（Ｍ）、ブラック（Ｋ）の各色の液体を吐出する。また、記録ヘッド１は、複数のノズルからなる４列のノズル列を主走査方向Ｙと直交する副走査方向Ｘに配置し、吐出方向を下方に向けて装着している。
【００１７】
また、液体吐出ヘッドは、使用する圧力発生手段が限定されるものではない。例えば、圧電アクチュエータ（積層型圧電素子を使用するものでもよい。）以外にも、発熱抵抗体などの電気熱変換素子を用いるサーマルアクチュエータ、振動板と対向電極からなる静電アクチュエータなどを使用するものでもよい。
尚、本願の用語における、画像形成、記録、印字、印写、印刷、造形等はいずれも同義語とする。
【００１８】
キャリッジ２の主走査方向Ｙの往復移動と、記録媒体６の副走査方向Ｘの搬送とを交互に繰り返すことによって、複数の記録ヘッド１により記録媒体６上にインク画像を形成していくよう構成されている。
ヒータ板１０には、記録媒体６の非印字面下に接触し加熱する、複数（本実施形態では多数）の空気通過部としての空気穴１０ａが形成されている。
【００１９】
ヒータ板１０には、このヒータ板１０を加熱するための熱源としてのヒータ１１と、ヒータ板１０の温度を測定する温度測定手段としての温度センサ１２が設置されている。後述するように、温度センサ１２からの信号に基づいて、制御部２０によってヒータ１１のオン／オフがコントロールされることで、ヒータ板１０に接触している記録媒体６の温度を調整することが可能となっている。
尚、加熱部材は、ヒータ板１０に限らず、多数の空気通過部が形成されていて、記録媒体６の非印字面下に接触し加熱する機能を備えているものであればよく、例えば実質的に熱源と一体となったものでもよい。本発明における加熱部材としては、このような構成を含むものである。
【００２０】
ヒータ板１０の下には、板金等で作られたチャンバ１３が設置されている。チャンバ１３に隣接して、吹き出しファン１４と、吸引ファン１５とが設置されている。吹き出しファン１４は、ヒータ板１０の多数の空気穴１０ａを介して空気を吸引することでヒータ板１０上に記録媒体６を吸着する吸着手段として機能する。吸引ファン１５は、ヒータ板１０の多数の空気穴１０ａを介して空気を吹き出す吹き出し手段として機能する。
吹き出しファン１４、吸引ファン１５により、チャンバ１３内の圧力をコントロールしている。ヒータ板１０の多数の空気穴１０ａを介して、チャンバ１３内の圧力をコントロールすることで、記録媒体６をヒータ板１０に接触ないし離間させるようにコントロールすることが可能である。
【００２１】
記録媒体６上に形成されたインク画像は、吸引ファン１５の駆動によりチャンバ１３内を負圧にし、ヒータ板１０に吸着されることで、記録媒体６を介して加熱乾燥される。乾燥された記録媒体６は、駆動力を付与された巻取り部１６でロール状に巻き取られる。
【００２２】
図２を用いて、インクジェットプリンタ１００の主な制御構成について説明する。図２は図１のインクジェットプリンタの主な制御構成を示す制御ブロック図である。
図２において、制御部２０は、インクジェットプリンタ１００の要部（給紙部４、プリント部９、巻取り部１６）の制御を司る制御手段として機能する。制御部２０は、演算手段及び制御手段の機能を有するＣＰＵ２１と、記憶手段としてのＲＯＭ２２及びＲＡＭ２３と、計時手段としてのタイマ２４等から構成されるマイクロコンピュータを具備している。
ＲＡＭ２３は、ＣＰＵ２１の演算結果や種々のデータを一時的に記憶する。ＲＯＭ２２は、必要な制御プログラム等（後述する図５、図６参照）、及び固定データ等を予め記憶している。
【００２３】
制御部２０のＣＰＵ２１には、入力ポート等を介して、温度センサ１２、操作表示部３０の操作部分がそれぞれ電気的に接続されている。また、ＣＰＵ２１には、出力ポート等を介して、ヘッド駆動回路を介して記録ヘッド１、主走査モータ２５、レジストモータ２６、操作表示部３０の表示部分がそれぞれ電気的に接続されている。
【００２４】
操作表示部３０は、インクジェットプリンタ１００の上記各部・装置に動作指示を与えるタッチパネルや各種スイッチ、各種キーと、上記動作内容を視認する液晶表示装置からなる液晶表示部と、音発生装置等とで構成されている。上記各部・装置に動作指示を与えるタッチパネル式の各種キーには、記録媒体の種類や、記録媒体の厚さ等を入力指示するものも含まれる。
【００２５】
ＣＰＵ２１は、次の第１〜第５の制御手段としての機能を有する。即ち、ＣＰＵ２１は、温度センサ１２からの信号に基づいて、ヒータ１１のオン／オフを制御することで、ヒータ板１０に接触している記録媒体６の温度を調整する第１の制御手段として機能する。
【００２６】
ＣＰＵ２１は、印刷動作（以下、単に印刷ともいう）停止時に、キャリッジ２の主走査モータ２５を介して記録ヘッド１をヒータ板１０上から退避させると共に、ヒータ１１を介してヒータ板１０による加熱を停止し、且つ吸引ファン１５による吸着を解除し、尚且つ吹き出しファン１４によってヒータ板１０の多数の空気穴１０ａを介して空気を吹き出すことによりヒータ板１０から記録媒体６を離間させる第２の制御手段として機能する。
【００２７】
ＣＰＵ２１は、第２の制御手段として機能するときに、温度センサ１２により測定された温度が規定値以下になったとき、吹き出しファン１４による空気吹き出しを停止させる第３の制御手段として機能する。
【００２８】
ＣＰＵ２１は、第２の制御手段として機能するときに、タイマ２４により計時された規定時間経過後に、吹き出しファン１４による空気吹き出しを停止させる第４の制御手段として機能する。
【００２９】
ＣＰＵ２１は、印刷停止時に、キャリッジ２の主走査モータ２５を介して記録ヘッド１をヒータ板１０上から退避させると共に、タイマ２４により計時された規定時間経過後に、ヒータ１１を介してヒータ板１０による加熱を停止し、且つ吸引ファン１５による吸着を解除し、尚且つ吹き出しファン１４によってヒータ板１０の多数の空気穴１０ａを介して空気を吹き出すことによりヒータ板１０から記録媒体６を離間させる第４の制御手段として機能する。
【００３０】
図３、図４を用いて、印刷動作（以下、単に印刷ともいう）時のプリント部の動作について説明する。図３は一実施形態に係る印刷時のプリント部の動作を説明する模式的な斜視図、図４は一実施形態に係る印刷時のプリント部の動作順序を説明するフローチャートである。これらの動作の制御は、上記した制御部２０のＣＰＵ２１の指令の下に実行される（後述する図５、図６でも同じ）。尚、図３に示す例では、吹き出しファン１４及び吸引ファン１５は、主走査方向Ｙに沿って共に３箇配置されている。
【００３１】
図３、図４に示すように、印刷時には、記録媒体６上でキャリッジ２を介して記録ヘッド１を主走査方向Ｙに往復運動しながら記録媒体６上にインク画像を形成する。この際、吸引ファン１５を稼働（以下、オンともいう）させることにより、図３において下向きの気流である吸引エア１８が生じることでチャンバ１３内を負圧にし、記録媒体６をヒータ板１０に吸着する（ステップＳ１）。
次いで、ヒータ１１をオンし（ステップＳ２）、温度センサ１２によりヒータ板１０の温度を監視しながら、ヒータ１１をオン／オフして、ヒータ板１０の温度を一定にコントロールする。
【００３２】
即ち、図４のステップＳ３において、温度センサ１２によって測定されたヒータ板１０の温度が所定温度ＴＸ℃の範囲内であるか否かが判断・チェックされる。ヒータ板１０の温度が所定温度ＴＸ℃に達していないときには、ステップＳ２に戻り、ヒータ１１を再びオンする。ヒータ板１０の温度が所定温度ＴＸ℃に達しているときには、印刷動作の開始が可能となる。即ち、ヒータ板１０に記録媒体６が接触し、加熱されることで、記録媒体６を介して、インク画像が乾燥されることとなる。
【００３３】
次に、図５、図６を用いて、印刷停止時のプリント部の動作について説明する。図５は一実施形態に係る印刷停止時のプリント部の動作を説明する模式的な斜視図、図６は一実施形態に係る印刷停止時のプリント部の動作順序を説明するフローチャートである。
印刷停止時には、先ず、キャリッジ２を介して記録ヘッド１を記録媒体６上から退避させる（ステップＳ１０）。印刷停止後、規定時間、ヒータ１１と吸引ファン１５は、オンとしたままとし、記録媒体６上のインク画像を乾燥させる。印刷停止後において規定時間が経過したか否かがタイマ２４によって計時され、ＣＰＵ２１によって比較・判断される（ステップＳ１１）。
【００３４】
ここで、ステップＳ１１における印刷停止後の規定時間は、記録媒体の種類、その厚さにより異なる。即ち、記録媒体の種類として、例えば壁紙の様に表面に凹凸があって伝熱し難い用紙や比熱が高い合成紙の様な用紙を使用している場合には、上記規定時間を長くする。記録媒体の厚さとして、例えば、厚みのある用紙の場合には、上記規定時間を長くする。
【００３５】
印刷停止後の規定時間経過後、ヒータ１１をオフしてヒータ板１０の加熱を停止すると共に、吸引ファン１５をオフして記録媒体６の吸着を解除し、且つ吹き出しファン１４をオンする（ステップＳ１２〜ステップＳ１４参照）。吹き出しファン１４のオンにより、図５に示すように、チャンバ１３を正圧にして、ヒータ板１０に開けた多数の穴１０ａから上向きの気流である吹き出しエア１９を噴出させ、この風圧によって、ヒータ板１０から記録媒体６を離間させ、記録媒体６に対するヒータ板１０からの更なる加熱を防止する。
【００３６】
そして、ステップＳ１５において、温度センサ１２によって測定されたヒータ板１０の温度が所定温度ＴＹ℃であるか否かがチェックされる。即ち、ヒータ板１０が規定の温度である所定温度ＴＹ℃まで低下しているか否かがチェックされる。このチェックに代えて、吹き出しファン１４のオンによる吹き出しエア１９の吹き出し後、一定時間経過したことをタイマ２４によって計時してもよい。
【００３７】
ここで、吹き出しファン１４の吹き出し時間は、（吹き出しファン１４のオンまでの時間でなく、温度が下がる時間を待つ、即ち、吹き出しファン１４のオンに時間を変えることである）記録媒体の種類、その厚さにより変えてもよい。
即ち、記録媒体の種類として、例えば塩ビのように熱によって伸び易い用紙を使用している場合には、上記時間を長くする。記録媒体の厚さとして、例えば厚みが薄い用紙（薄いほうが変形し易い）である場合には、上記時間を長くする。
【００３８】
以上説明したとおり、本実施形態によれば、印刷動作（画像形成動作）停止時に、加熱部材に接触している記録媒体が加熱、変形することを安価な構成によって防ぐことができる。また、余分な電力消費も防ぐことができる。
【００３９】
本発明は、上記一実施形態に限らず、次の態様であってもよい。
第１の態様は、記録媒体６などの記録媒体の搬送を繰り返しながら、記録ヘッドから液体を吐出して記録媒体上に画像を形成するインクジェットプリンタ１００などの画像形成装置において、記録媒体の非印字面下に接触し加熱する、多数の空気穴１０ａなどの複数の空気通過部を有するヒータ板１０などの加熱部材と、空気通過部を介して空気を吸引することで加熱部材上に記録媒体を吸着する吸引ファン１５などの吸着手段と、空気通過部を介して空気を吹き出す吹き出しファン１４などの吹き出し手段と、を備え、印刷動作停止時などの画像形成動作停止時に、記録ヘッドを加熱部材上から退避させると共に、加熱部材による加熱を停止し、且つ吸着手段による吸着を解除し、尚且つ吹き出し手段によって空気通過部を介して空気を吹き出すことにより加熱部材から記録媒体を離間させるものであってもよい。
第１の態様によれば、上記構成により、画像形成動作停止時に、加熱部材に接触している記録媒体が加熱、変形することを安価な構成によって防ぐことができる。
【００４０】
第２の態様は、第１の態様において、加熱部材の温度を測定する温度センサ１２などの温度測定手段を備え、温度測定手段により測定された温度が規定値以下になったとき、吹き出し手段による空気吹き出しを停止させるものであってもよい。
第２の態様によれば、第１の態様による効果に加え、余分な電力消費を防ぐことができる。
【００４１】
第３の態様は、第１の態様において、吹き出し手段による空気吹き出し時間を計時するタイマ２４などの計時手段を備え、計時手段により計時された規定時間経過後に、吹き出し手段よる空気吹き出しを停止させるものであってもよい。
第３の態様によれば、第１の態様による効果に加え、余分な電力消費を防ぐことができる。
【００４２】
第４の態様は、記録媒体の搬送を繰り返しながら、記録ヘッドから液体を吐出して記録媒体上に画像を形成する画像形成装置において、記録媒体の非印字面下に接触し加熱する、複数の空気通過部を有する加熱部材と、空気通過部を介して空気を吸引することで加熱部材上に記録媒体を吸着する吸着手段と、空気通過部を介して空気を吹き出す吹き出し手段と、時間を計時する計時手段と、を備え、画像形成動作停止後、前記記録ヘッドを前記加熱部材上から退避させると共に、前記計時手段により計時された規定時間経過後に、前記加熱部材による加熱を停止し、且つ前記吸着手段による吸着を解除し、前記吹き出し手段から空気を吹き出すことにより前記加熱部材から記録媒体を離間させるものであってもよい。
第４の態様によれば、上記構成により、画像形成動作停止時に、加熱部材に接触している記録媒体が加熱、変形することを安価な構成によって防ぐことができる。また、インクの生乾きを防止できる。
【００４３】
第５の態様は、第４の態様において、画像形成動作停止後、加熱部材による加熱停止及び吸着手段による吸着解除から吹き出し手段から空気を吹き出させるまでの時間を、記録媒体の種類、厚さにより変えるものであってもよい。
第５の態様によれば、上記構成により、記録媒体の種類、その厚さに応じて、インクの生乾きを防止できる。
【００４４】
ここで、背景技術で説明した特許文献１以外の、一見すると本発明に類似する従来技術について補説する。特開２０１２−０４５８４９号公報には、プリント開始時の部分的なシートの温度低下による画像品位の劣化を抑制し、またプリント終了時の部分的なシート温度上昇によるシートの変形を抑制する目的で、次の構成が開示されている。即ち、シートが移動を停止している停止状態では所定位置においてシートに対して加熱部による加熱と冷却部による冷却を同時に行うように制御し、前記停止状態の後にインクジェットヘッドでインクを付与するためにシートが移動を開始したら、前記所定位置においてシートに対して前記加熱部による加熱は継続し且つ前記冷却部による冷却を前記停止状態のときよりも弱める。
しかしながら、上記技術では、印刷停止時に冷却は行うが、加熱も同時に行われるため、加熱による記録媒体の変形を防ぐ機能として不十分であるという問題は解消できていない。
【００４５】
特開昭６０−０３４８８７号公報には、非印刷時にはサクションシャッタを用紙幅外に退避させ、空気のリークによりサクションの吸引機能を弱めてプレヒータから用紙への熱の伝達を阻止することによって、非印刷時にプレヒータ上に放置された用紙が黄変することを回避する構成が開示されている。
しかしながら、上記技術では、用紙との密着性が下がるが記録媒体はヒータと接触したままのため、変形を防ぐ機能として不十分であるという問題は解消できていない。
【００４６】
特開平１０−１２３８６４号公報には、複数台の片面印刷型の電子写真装置を使用して両面印刷の電子写真印刷システムを構成する場合において、前段の電子写真装置の定着装置に対する後段の電子写真装置の定着装置の性能ばらつきが極めて小さい印刷システムを実現できる様にする目的で、次の構成が開示されている。即ち、トナー像を保持した長尺の連続状記録材の裏面を吸引する吸引装置と、該吸引装置の吸引力により記録材を密着させながら該記録材を予備加熱するプレヒータと、互いに圧接した加熱ロールと加圧ロールからなる一対の定着ロールとを有し、加熱ロールと加圧ロールの圧接部にて記録材に加熱加圧作用を付与しながら挟持搬送し、記録材表面にトナー像を定着させる電子写真装置の定着装置において、プレヒータ表面に対し相対的に変位可能な突出部材を有する記録材持ち上げ装置を設け、印刷停止時に記録材持ち上げ装置により、プレヒータから記録材を離間するものである。
しかしながら、上記技術では、記録材持ち上げ装置が必要になり、安価な構成で変形を防ぐという問題は解消できていない。
【００４７】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記実施形態や実施例等に記載した技術事項を適宜組み合わせたものであってもよい。
【００４８】
本発明は、上記したシリアル方式の画像形成装置（インクジェット記録装置）に限らず、例えば、ライン型ヘッドで退避可能な構成を備えているライン方式の画像形成装置（インクジェット記録装置）にも準用可能である。即ち、本願発明の吹き出し手段によって空気通過部を介して空気を吹き出すことにより加熱部材から記録媒体を離間させる際の記録媒体に接触しないように、ライン型ヘッドが適宜の部位へ移動ないしは変位可能に構成されていればよい。
【００４９】
本発明の実施の形態に適宜記載された効果は、本発明から生じる最も好適な効果を列挙したに過ぎず、本発明による効果は、本発明の実施の形態に記載されたものに限定されるものではない。
【符号の説明】
【００５０】
１    記録ヘッド
２    キャリッジ
３    ガイド
４    給紙部
５    ロール軸
６    記録媒体
７    レジストローラ
８    加圧コロ
９    プリント部
１０    空気穴（空気通過部の一例）
１１    ヒータ（熱源の一例）
１２    温度センサ（温度測定手段の一例）
１３    チャンバ
１４    吹き出しファン（吹き出し手段の一例）
１５    吸引ファン（吸引手段の一例）
１６    巻取り部
１７    巻取り部
１８    吸引エア
１９    吹き出しエア
２０    制御部（制御手段の一例）
２１    ＣＰＵ（制御手段の一例）
２２    ＲＯＭ
２３    ＲＡＭ
２４    タイマ（計時手段の一例）
１００    インクジェットプリンタ（画像形成装置の一例）
Ｘ    副走査方向（記録媒体の搬送方向の一例）
Ｙ    主走査方向
【先行技術文献】
【特許文献】
【００５１】
【特許文献１】特許第４３８０２３２号公報
【図１】
2017222096.tif 000003
【図２】
2017222096.tif 000004
【図３】
2017222096.tif 000005
【図４】
2017222096.tif 000006
【図５】
2017222096.tif 000007
【図６】
2017222096.tif 000008